(57)【要約】【課題】店舗の広告料の公平性を図り、消費者への広告宣伝を促進する。【解決手段】広告の成果に応じて広告費を決める成果報酬型広告システムであって、利用者が所持するサービスカードを特定する特定情報の入力を受け付ける特定情報受付手段１４と、当該利用者の利用金額を受け付ける利用金額受付手段１２と、利用金額あるいは利用金額に基づいて決められるポイントの一定期間中の累積値を算出する累積値算出手段１１と、累積値に応じて広告費を決定する広告費決定手段３１とを備える。【選択図】図２
2009122805.tif 000002
【特許請求の範囲】
【請求項１】
広告の成果に応じて広告費を決める成果報酬型広告システムであって、
利用者が所持するサービスカードを特定する特定情報の入力を受け付ける特定情報受付手段と、
当該利用者の利用金額を受け付ける利用金額受付手段と、
上記利用金額あるいは上記利用金額に基づいて決められるポイントの一定期間中の累積値を算出する累積値算出手段と、
上記累積値に応じて広告費を決定する広告費決定手段と、
を備えることを特徴とする成果報酬型広告システム。
【請求項２】
店舗に備えられる店舗コンピュータと、システム管理者側に備えられる管理コンピュータとを含み、
上記店舗コンピュータは、
前記特定情報受付手段と、
前記利用金額受付手段と、
前記累積値算出手段と、
前記特定情報、前記利用金額および前記累積値の内の少なくとも前記累積値のデータを、上記管理コンピュータ側に送信するデータ送信手段と、
を備え、
上記管理コンピュータは、
上記データ送信手段からの上記データを受信するデータ受信手段と、
前記広告費決定手段と、
を備えることを特徴とする請求項１に記載の成果報酬型広告システム。
【請求項３】
店舗に備えられる店舗コンピュータと、システム管理者側に備えられる管理コンピュータとを含み、
上記店舗コンピュータは、
前記特定情報受付手段と、
前記利用金額受付手段と、
前記特定情報および前記利用金額の内の少なくとも前記利用金額のデータを、上記管理コンピュータ側に送信するデータ送信手段と、
を備え、
上記管理コンピュータは、
上記データ送信手段からの上記データを受信するデータ受信手段と、
前記累積値算出手段と、
前記広告費決定手段と、
を備えることを特徴とする請求項１に記載の成果報酬型広告システム。
【請求項４】
広告の成果に応じて広告費を決める成果報酬型広告方法であって、
利用者が所持するサービスカードを特定する特定情報の入力を受け付ける特定情報受付ステップと、
当該利用者の利用金額を受け付ける利用金額受付ステップと、
上記利用金額あるいは上記利用金額に基づいて決められるポイントの一定期間中の累積値を算出する累積値算出ステップと、
上記累積値に応じて広告費を決定する広告費決定ステップと、
を含むことを特徴とする成果報酬型広告方法。
【発明の詳細な説明】
【技術分野】
【０００１】
広告の成果に応じて広告費を決める成果報酬型広告システムおよび成果報酬型広告方法に関する。
【背景技術】
【０００２】
最近、飲食店、美容院、レジャー施設等の店舗を広告掲載したブック・リーフレットなどの広告媒体が街中で配布され、あるいは店舗の所定場所におかれている。店舗のオーナーは、その広告媒体を通じて、消費者に向けて自己の店舗を宣伝し、その広告媒体を見て来店した消費者に対して、利用金額の一部（例えば、利用金額の１０％）を割り引いている（従来技術１）。
【０００３】
また、複数の店舗の広告情報および割引情報を掲載したＷＥＢサイトも広く知られている。消費者は、インターネットを介してそのＷＥＢサイトを閲覧し、好みの店舗を見つけると、割引情報を掲載したページを印刷してその店舗に行く。その消費者が、その店舗を利用した後に、持参した印刷物を会計の際に提示すると、利用額の一部を割り引いてもらえる（従来技術２）。
【０００４】
さらに、広告の利用程度に応じた広告料の課金が可能な広告料課金システムも知られている（例えば、特許文献１を参照）。このシステムでは、ユーザ端末に表示された広告中の電話番号がクリックされると、ユーザ端末がクリック時刻と広告ＩＤをサーバに通知する。サーバは、広告ＩＤを基に広告情報ＤＢを検索して広告主の電話番号を読み出し、この電話番号とともに交換機に当該電話番号への発呼時刻を要求し、取得した発呼時刻とクリック時刻との時間差が所定の範囲内にあれば、表示された広告の広告主へ実際に発呼があったこととみなして、広告料を課金する（従来技術３）。
【特許文献１】特開２００２−２８８５４１号公報（要約書）
【発明の開示】
【発明が解決しようとする課題】
【０００５】
しかし、上述の従来技術１および従来技術２の場合、店舗のオーナー（広告主）が広告管理者側に支払う広告料は、一律か、広告期間若しくは広告枠の大きさに応じて変動するだけである。すなわち、広告料は、消費者が店舗を利用したかどうかに関係なく決められている。したがって、利用者が少ない店舗側にとっては、広告料が高すぎることもある。この場合、広告主は、広告料の公平性を感じることができない。
【０００６】
また、上述の従来技術３の場合、広告の利用頻度を考慮して広告料が課金されるため、広告料は、ある程度、消費者の利用を考慮して決定される。しかし、広告主側に連絡があったものの、商品等の購入あるいはサービスの提供が実際に発生しないことも多い。このため、広告主にとって、広告料が収益に見合わずに過大となることもある。このような場合にも、広告主は、広告料の公平性を感じることができない。したがって、広告主は、広告の掲載を中止するという選択をせざるをえない事態となり、消費者への広告宣伝も促進できない。
【０００７】
本発明は、上述の課題を解決するためになされたものであって、店舗の広告料の公平性を図り、消費者への広告宣伝を促進することを目的とする。
【課題を解決するための手段】
【０００８】
上記目的を達成するため、本発明は、広告の成果に応じて広告費を決める成果報酬型広告システムであって、利用者が所持するサービスカードを特定する特定情報の入力を受け付ける特定情報受付手段と、当該利用者の利用金額を受け付ける利用金額受付手段と、利用金額あるいは利用金額に基づいて決められるポイントの一定期間中の累積値を算出する累積値算出手段と、その累積値に応じて広告費を決定する広告費決定手段とを備える成果報酬型広告システムとしている。このようなシステムの構築により、各店舗における実際の利用額に応じた広告料が決定されるので、広告料の公平性を図ることが出来る。
【０００９】
また、別の本発明は、店舗に備えられる店舗コンピュータと、システム管理者側に備えられる管理コンピュータとを含み、店舗コンピュータは、上述の特定情報受付手段と、上述の利用金額受付手段と、上述の累積値算出手段と、上述の特定情報、利用金額および累積値の内の少なくとも累積値のデータを、管理コンピュータ側に送信するデータ送信手段とを備え、管理コンピュータは、データ送信手段からのデータを受信するデータ受信手段と、上述の広告費決定手段とを備える成果報酬型広告システムとしている。このように、広告費の決定を広告の管理者側のコンピュータで実行することによって、店舗側のコンピュータ処理の負担を軽減することができるとともに、店舗側で不正に広告費を安く計算する事態を防止できる。
【００１０】
また、別の本発明は、店舗に備えられる店舗コンピュータと、システム管理者側に備えられる管理コンピュータとを含み、店舗コンピュータは、上述の特定情報受付手段と、上述の利用金額受付手段と、上述の特定情報および利用金額の内の少なくとも利用金額のデータを、管理コンピュータ側に送信するデータ送信手段とを備え、管理コンピュータは、データ送信手段からのデータを受信するデータ受信手段と、上述の累積値算出手段と、上述の広告費決定手段とを備える成果報酬型広告システムとしている。このように、利用金額の累積の計算処理および広告費の決定を広告の管理者側のコンピュータで実行することによって、店舗側のコンピュータ処理の負担をより軽減することができるとともに、店舗側で不正に広告費を安く計算する事態を防止できる。
【００１１】
また、別の本発明は、広告の成果に応じて広告費を決める成果報酬型広告方法であって、利用者が所持するサービスカードを特定する特定情報の入力を受け付ける特定情報受付ステップと、当該利用者の利用金額を受け付ける利用金額受付ステップと、利用金額あるいは利用金額に基づいて決められるポイントの一定期間中の累積値を算出する累積値算出ステップと、累積値に応じて広告費を決定する広告費決定ステップとを含む成果報酬型広告方法としている。このような方法を採用することにより、各店舗における実際の利用額に応じた広告料が決定されるので、広告料の公平性を図ることが出来る。
【発明の効果】
【００１２】
本発明によれば、店舗の広告料の公平性を図り、消費者への広告宣伝を促進することができる。
【発明を実施するための最良の形態】
【００１３】
次に、本発明に係る成果報酬型広告システムおよび成果報酬型広告方法の好適な各実施の形態について、図面を参照しながら説明する。成果報酬型広告方法の実施の形態については、成果報酬型広告システムの実施の形態の中で説明する。
【００１４】
（第１の実施の形態）
図１は、第１の実施の形態に係る成果報酬型広告システムの概略構成図である。
【００１５】
この成果報酬型広告システムは、各店舗（図１では、店舗Ａ、店舗Ｂ、店舗Ｃ）に配置される店舗コンピュータ１と、店舗コンピュータ１からのデータを受信して広告費を決定可能な管理コンピュータ３とを有している。店舗コンピュータ１は、各店舗に配置されるキャッシュレジスター２と接続されている。店舗コンピュータ１は、通信回線網（以後、代表として、インターネットとする）４を介して管理コンピュータ３にデータを送信する。店舗コンピュータ１からインターネット４に入る入口には、各店舗が加入しているプロバイダのサーバ５が存在する。同様に、管理コンピュータ３からインターネット４に入る入口には、管理コンピュータ３を管理する管理者が加入しているプロバイダのサーバ６が存在する。
【００１６】
利用者が広告媒体に載っているサービスカードを持参して各店舗で商品の購入若しくはサービスの提供を受けると、各店舗の会計担当者は、キャッシュレジスター２を通じて利用金額を入力し、利用者が所持するサービスカードを特定する特定情報を店舗コンピュータ１に入力する。店舗コンピュータ１は、利用金額と特定情報を記憶し、既に記憶されている利用金額と新しく入力された利用金額とを合計して累積利用金額を算出する。その後、店舗側の入力指示に基づいてあるいは所定期間後に自動的に、店舗コンピュータ１は、インターネット４を経由して、特定情報、利用金額および累積利用金額の内の少なくとも累積利用金額のデータを管理コンピュータ３に送信する。管理コンピュータ３は、店舗コンピュータ１から送信されてきたデータを受信して、累積利用金額に基づいて各店舗の広告費を決定する。以下、かかる処理について詳しく説明する。
【００１７】
図２は、店舗コンピュータ１および管理コンピュータ３の各内部構成を説明する図である。説明を簡単にするため、図２には、店舗コンピュータ１、管理コンピュータ３およびインターネット４のみを示している。
【００１８】
まず、店舗コンピュータ１の内部構成について説明する。
【００１９】
店舗コンピュータ１は、中央処理装置（Central Processing Unit: CPU)１１、インターフェイス（Ｉ／Ｆ）１２、入力装置（INPUT DEVICE）１３、カメラ１４、読み書き可能なメモリ（Random Access Memory: RAM）１５、読み出し専用メモリ（Read Only Memory: ROM）１６、電気的に内容を書き換えることのできるＲＯＭ（Electronically Erasable and Programmable Read Only Memory: EEPROM）１７、インターフェイス（Ｉ／Ｆ）１８とを備えている。
【００２０】
ＣＰＵ１１は、店舗コンピュータ１内の各処理の制御を司る装置である。Ｉ／Ｆ１２は、キャッシュレジスター２から入力される情報を受け付ける装置である。Ｉ／Ｆ１２は、利用者が所持するサービスカードを特定する特定情報の入力を受け付ける特定情報受付手段と、当該利用者の利用金額を受け付ける利用金額受付手段として機能する。また、ＣＰＵ１１は、Ｉ／Ｆ１２から送られた利用金額の累積値を算出する累積値算出手段として機能する。ここで、累積値は、利用金額の累積値のみならず、利用金額に基づいて決められるポイントの累積値をも含むように広義に解釈される。
【００２１】
入力装置１３は、各店舗の担当若しくは利用者が情報を入力するための装置であり、キーボード、タッチパネル、ポインティングデバイス等の形態を有する。入力装置１３から入力される情報としては、例えば、利用者の氏名、生年月日、住所、性別等を挙げることができる。カメラ１４は、サービスカードに印刷されている特定情報を読み取るための装置であり、特定情報の入力を受け付ける特定情報受付手段として機能する。カメラ１４は、スキャナとしての機能を備えても良い。
【００２２】
ＲＡＭ１５およびＥＥＰＲＯＭ１７は、Ｉ／Ｆ１２、入力装置１３およびカメラ１４を通じて受け付けたテキストデータあるいは画像データを記憶しておくメモリである。ＲＯＭ１６は、ＣＰＵ１１の制御プログラムを格納しておくメモリである。Ｉ／Ｆ１８は、管理コンピュータ３に向けて各種データを送る機能を有し、特定情報、利用金額および累積値の内の少なくとも累積値のデータを、管理コンピュータ３側に送信するデータ送信手段である。
【００２３】
次に、管理コンピュータ３の内部構成について説明する。
【００２４】
管理コンピュータ３は、中央処理装置（Central Processing Unit: CPU)３１、インターフェイス（Ｉ／Ｆ）３２、入力装置（INPUT DEVICE）３３、読み書き可能なメモリ（Random Access Memory: RAM）３４、読み出し専用メモリ（Read Only Memory: ROM）３５、電気的に内容を書き換えることのできるＲＯＭ（Electronically Erasable and Programmable Read Only Memory: EEPROM）３６とを備えている。
【００２５】
ＣＰＵ３１は、管理コンピュータ３内の各処理の制御を司る装置である。Ｉ／Ｆ３２は、店舗コンピュータ１からインターネット４を経由して送られてきた各種データを受信する機能を有するデータ受信手段である。また、Ｉ／Ｆ３２は、店舗コンピュータ１に向けて各種データを送る機能をも有する。当該各種データには、例えば、広告費に関する情報が含まれる。ＣＰＵ３１は、Ｉ／Ｆ３２によって受信したデータに含まれる累積値に応じて広告費を決定する広告費決定手段として機能する。入力装置３３は、管理コンピュータ３の管理担当者が情報を入力するための装置であり、キーボード、タッチパネル、ポインティングデバイス等の形態を有する。入力装置３３から入力される情報としては、例えば、各店舗の情報、広告に関する情報等を挙げることができる。
【００２６】
ＲＡＭ３４およびＥＥＰＲＯＭ３６は、Ｉ／Ｆ３２および入力装置３３を通じて受け付けたデータおよび累積値と広告費とを関連付けたデータテーブルを記憶しておくメモリである。ＲＯＭ３５は、ＣＰＵ３１の制御プログラムを格納しておくメモリである。ＣＰＵ３１は、各店舗の広告費を決定する際、ＲＡＭ３４あるいはＥＥＰＲＯＭ３６に予め格納されている上記データテーブルを参照する。
【００２７】
図３は、店舗の利用者が店舗側に提示するサービスカード４０の一例を示す図である。
【００２８】
サービスカード４０には、バーコード４１が印刷されている。店舗の会計担当は、会計時に、そのバーコード４１の部分をバーコードリーダ（不図示）で読み取ることにより、サービスカードに固有の特定情報を店舗コンピュータ１に入力する。当該バーコード４１をＱＲコードに代えて、カメラ１４によりＱＲコードに基づいた特定情報を受け付けるようにしても良い。
【００２９】
図４は、店舗の利用者が店舗側に提示するサービスカード４０の別の例を示す図である。
【００３０】
図４に示すービスカード４０には、「１５６８９」という番号４２が印刷されている。店舗の会計担当は、会計時に、その番号４２をキャッシュレジスター２若しくは入力装置１３から入力、あるいはその番号４２をカメラ１４により撮像することにより、サービスカード４０に固有の特定情報を受け付けるようにしても良い。
【００３１】
図５は、店舗コンピュータ１に記憶されたデータであって、管理コンピュータ３に向けて送信されるデータの一例を示す図である。
【００３２】
このデータ５０は、特定情報（Ｎｏ．の項目）、利用金額および累積利用金額を一覧で示すデータである。特定情報として記述されている「１２２７」、「１７８５」、「１５６２」および「１９０２」は、サービスカード４０のバーコード４１によって読み取られた情報あるいは番号４２である。各特定情報に対応した利用金額は、利用者が店舗を利用した際の金額である。ただし、サービスカード４０の提示により、割引という特典が得られる場合には、利用金額を、割引後の金額としても良い。累積利用金額は、利用金額の累積値である。
【００３３】
図６は、管理コンピュータ３に予め記憶されているデータテーブルの一例を示す図である。
【００３４】
このデータテーブル６０は、累積利用金額の範囲に広告費を関連付けて対応させたテーブルである。店舗コンピュータ１から図５に示すデータ５０が送られてくると、管理コンピュータ３のＣＰＵ３１は、データテーブル６０をＲＡＭ３４若しくはＥＥＰＲＯＭ３６から読み出してきて、そのデータテーブル６０を参照しながら、データ５０に含まれる累積利用金額に相当する広告費を決定する。例えば、データ５０内の累積利用金額が３５０万円の場合には、ＣＰＵ３１は、広告費を２０万円に決定する。
【００３５】
図７および図８は、第１の実施の形態に係る成果報酬型広告システムにて実行する成果報酬型広告方法を示すフローチャートであり、図７は店舗コンピュータ１において実行する処理の流れを、図８は管理コンピュータ３において実行する処理の流れを、それぞれ示す。
【００３６】
図７に示すように、店舗コンピュータ１のＩ／Ｆ１２若しくはカメラ１４は、特定情報を受け付ける（ステップＳ１０１：特定情報受付ステップ）。また、Ｉ／Ｆ１２は、キャッシュレジスター２から入力された利用金額の情報を受け付ける（ステップＳ１０２：利用金額受付ステップ）。ＣＰＵ１１は、直近まで累積された利用金額に、新たに入力された利用金額を加えて、累積利用金額を算出する（ステップＳ１０３：累積値算出ステップ）。Ｉ／Ｆ１８は、店舗の担当者の入力指示に基づいて、少なくとも累積利用金額を含むデータ（特定情報、利用金額を含んでいても良い）を管理コンピュータ３に向けて送信する（ステップＳ１０４）。なお、ステップＳ１０１とステップＳ１０２とを逆順あるいは同時に実行しても良い。
【００３７】
図８に示すように、管理コンピュータ３のＩ／Ｆ３２は、Ｉ／Ｆ１８から送信されたデータを受信する（ステップＳ１０５）。ＣＰＵ３１は、ＲＡＭ３４若しくはＥＥＰＲＯＭ３６から、図６に示すようなデータテーブル６０を読み出して、そのデータテーブル６０を参照して、累積利用金額から広告費を決定する（ステップＳ１０６：広告費決定ステップ）。
【００３８】
（第２の実施の形態）
次に、第２の実施の形態に係る成果報酬型広告システムおよび成果報酬型広告方法について説明する。図１から図４は、第２の実施の形態でも同様である。第２の実施の形態において、第１の実施の形態と共通する部分については、その説明を省略する。
【００３９】
第２の実施の形態において、第１の実施の形態と異なる点は、店舗コンピュータ１が累積値を算出せず、管理コンピュータ３が累積値を算出する点である。
【００４０】
したがって、ＣＰＵ３１は、店舗コンピュータ１から送られたデータに含まれる利用金額からその累積値を算出する累積値算出手段および当該累積値に応じて広告費を決定する広告費決定手段として機能する。店舗コンピュータ１は、図５に示すデータ５０の内、累積利用金額を含まず、最低限、利用金額を含むデータを管理コンピュータ３に向けて送信する。
【００４１】
図９および図１０は、第２の実施の形態に係る成果報酬型広告システムにて実行する成果報酬型広告方法を示すフローチャートであり、図９は店舗コンピュータ１において実行する処理の流れを、図１０は管理コンピュータ３において実行する処理の流れを、それぞれ示す。
【００４２】
図９に示すように、店舗コンピュータ１のＩ／Ｆ１２若しくはカメラ１４は、特定情報を受け付ける（ステップＳ２０１：特定情報受付ステップ）。また、Ｉ／Ｆ１２は、キャッシュレジスター２から入力された利用金額の情報を受け付ける（ステップＳ２０２：利用金額受付ステップ）。Ｉ／Ｆ１８は、店舗の担当者の入力指示に基づいて、少なくとも利用金額を含むデータ（特定情報を含んでいても良い）を管理コンピュータ３に向けて送信する（ステップＳ２０３）。なお、ステップＳ２０１とステップＳ２０２とを逆順あるいは同時に実行しても良い。
【００４３】
図１０に示すように、管理コンピュータ３のＩ／Ｆ３２は、Ｉ／Ｆ１８から送信されたデータを受信する（ステップＳ２０４）。ＣＰＵ３１は、利用金額を累積し、累積利用金額を算出する（ステップＳ２０５：累積値算出ステップ）。ＣＰＵ３１は、ＲＡＭ３４若しくはＥＥＰＲＯＭ３６から、図６に示すようなデータテーブル６０を読み出して、そのデータテーブル６０を参照して、累積利用金額から広告費を決定する（ステップＳ２０６：広告費決定ステップ）。
【００４４】
（第３の実施の形態）
次に、第３の実施の形態に係る成果報酬型広告システムおよび成果報酬型広告方法について説明する。
【００４５】
第３の実施の形態において、第１の実施の形態および第２の実施の形態と異なる点は、店舗コンピュータ１が累積値の算出および広告費の決定を行う点である。この場合、成果報酬型広告システムは、店舗コンピュータ１と同義になる。
【００４６】
したがって、図２に示す店舗コンピュータ１において、ＣＰＵ１１は、Ｉ／Ｆ１２から送られた利用金額の累積値を算出する累積値算出手段、および当該累積値に応じて広告費を決定する広告費決定手段として機能する。図６に示すデータテーブル６０は、店舗コンピュータ１内のＲＡＭ１５若しくはＥＥＰＲＯＭ１７に格納されている。図５に示すデータ５０は、ＣＰＵ１１が作成するだけとし、管理コンピュータ３に向けて必ずしも送信する必要は無い。したがって、店舗コンピュータ１は、図7および図８のステップＳ１０１、ステップＳ１０２、ステップＳ１０３、ステップＳ１０６を、その順で実行する。ここで、ステップＳ１０１とステップＳ１０２とを逆順あるいは同時に実行しても良い。
【００４７】
以上、本発明に係る成果報酬型広告システムおよび成果報酬型広告方法の各実施の形態について説明したが、本発明は、上述の各実施の形態に限定されることなく、下記に示すような種々の変形を施して実施することができる。
【００４８】
例えば、特定情報として、利用者の個人情報を含めても良い。その場合、利用者は、キャッシュレジスター２あるいは店舗コンピュータ１から、自己の個人情報を入力するのが好ましい。また、累積値は、利用金額の累積利用金額ではなく、利用金額に基づいて決定されるポイントの累積値であっても良い。例えば、１０００円単位で１ポイントが与えられる場合、利用金額が１万円の場合、１０ポイントが与えられるので、累積値は、直近の累積ポイントに、その１０ポイントを加えた値であっても良い。さらには、利用金額を、上記のポイントとしても良い。また、広告費は、累積値に一対一に対応して決定されるようにしても良い。
【産業上の利用可能性】
【００４９】
本発明は、例えば、店舗が広告媒体に広告を掲載する場合の広告費を決めるシステムに利用可能である。
【図面の簡単な説明】
【００５０】
【図１】図１は、本発明の第１の実施の形態に係る成果報酬型広告システムの概略構成図である。
【図２】図２は、図１に示す店舗コンピュータおよび管理コンピュータの各内部構成を説明する図である。
【図３】図３は、店舗の利用者が店舗側に提示するサービスカードの一例を示す図である。
【図４】図４は、店舗の利用者が店舗側に提示するサービスカードの別の例を示す図である。
【図５】図５は、図１に示す店舗コンピュータに記憶されたデータであって、管理コンピュータに向けて送信されるデータの一例を示す図である。
【図６】図６は、図１に示す管理コンピュータに予め記憶されているデータテーブルの一例を示す図である。
【図７】図７は、図１に示す成果報酬型広告システムにて実行する成果報酬型広告方法を示すフローチャートであり、店舗コンピュータにおいて実行する処理の流れを示す。
【図８】図８は、図１に示す成果報酬型広告システムにて実行する成果報酬型広告方法を示すフローチャートであり、管理コンピュータにおいて実行する処理の流れを示す。
【図９】図９は、本発明の第２の実施の形態に係る成果報酬型広告システムにて実行する成果報酬型広告方法を示すフローチャートであり、店舗コンピュータにおいて実行する処理の流れを示す。
【図１０】図１０は、本発明の第２の実施の形態に係る成果報酬型広告システムにて実行する成果報酬型広告方法を示すフローチャートであり、管理コンピュータにおいて実行する処理の流れを示す。
【符号の説明】
【００５１】
１１  ＣＰＵ（累積値算出手段、広告費決定手段）
１２  Ｉ／Ｆ（特定情報受付手段、利用金額受付手段）
１３  入力装置（特定情報受付手段）
１４  カメラ（特定情報受付手段）
１８  Ｉ／Ｆ（データ送信手段）
３１  ＣＰＵ（広告費決定手段、累積値算出手段）
３２  Ｉ／Ｆ（データ受信手段）
４０  サービスカード
【図１】
2009122805.tif 000003
【図２】
2009122805.tif 000004
【図３】
2009122805.tif 000005
【図４】
2009122805.tif 000006
【図５】
2009122805.tif 000007
【図６】
2009122805.tif 000008
【図７】
2009122805.tif 000009
【図８】
2009122805.tif 000010
【図９】
2009122805.tif 000011
【図１０】
2009122805.tif 000012